(57)【要約】【課題】異常な信号処理動作を行った場合であっても、大音量再生，異音再生などの問題となる現象を回避することが可能な信号再生装置を提供すること。【解決手段】本発明にかかる信号再生装置は、入力信号に対して所定の信号再生処理を行う信号処理部１と、信号処理部１の誤動作を検出し、当該検出結果に基づいて出力信号レベルを調整するための制御を行う制御部４と、信号処理部１の出力信号の再生を所定の時間だけ遅延させる再生遅延生成部２と、再生遅延生成部２の出力信号のレベルを、制御部４からの制御により調整する信号レベル調整部３と、を備える。【選択図】        図１
2007027853.tif 000002
【特許請求の範囲】
【請求項１】
入力信号に対して所定の信号再生処理を行う信号処理手段を含む信号再生装置であって、
前記信号処理手段の誤動作を検出し、当該検出結果に基づいて出力信号レベルを調整するための制御を行う制御手段と、
前記信号処理手段の出力信号の再生を所定の時間だけ遅延させる再生遅延生成手段と、
前記再生遅延生成手段の出力信号のレベルを、前記制御手段からの制御により調整するレベル調整手段と、
を備えることを特徴とする信号再生装置。
【請求項２】
前記制御手段は、前記入力信号および前記信号処理手段の出力信号の信号レベルを測定し、当該測定結果に基づいて前記信号処理手段が誤動作しているかどうかを判定することを特徴とする請求項１に記載の信号再生装置。
【請求項３】
前記制御手段が前記信号処理手段の誤動作を検出した場合、前記レベル調整手段は、前記制御手段からの制御により出力を停止することを特徴とする請求項１または２に記載の信号再生装置。
【請求項４】
前記制御手段が前記信号処理手段の誤動作を検出した場合、前記レベル調整手段は、前記制御手段からの制御により出力信号レベルを一定の値だけ下げることを特徴とする請求項１または２に記載の信号再生装置。
【請求項５】
前記制御手段は、前記信号処理手段の誤動作を検出した場合、前記入力信号および前記信号処理手段の出力信号の信号レベルの比較結果に基づいて、前記レベル調整手段の出力信号レベルを上下させる制御を行うことを特徴とする請求項１または２に記載の信号再生装置。
【請求項６】
前記制御手段は、前記信号処理手段の誤動作を検出した場合、その旨を表示する制御および／または音声により通知する制御を行い、さらに、正常動作に復帰するように前記信号処理手段を制御することを特徴とする請求項１〜５のいずれか一つに記載の信号再生装置。
【発明の詳細な説明】
【技術分野】
【０００１】
この発明は、音声信号等の信号再生装置に関し、特に、再生信号の出力レベルを調整する機能を有する信号再生装置に関するものである。
【背景技術】
【０００２】
近年、音声信号や画像信号などの再生を行う電子機器（以下、「信号再生装置」と記述する）は、高性能化が進んでおり、多くの場合、ＤＳＰ（Digital  Signal  Processor）などを用いて音場処理、音像処理、出力レベル変更処理などの信号処理を行っている。そして、一般的な信号再生装置は、電源電圧の変化等によるＤＳＰの暴走、ＤＳＰ自体の故障、などによる異常動作（誤動作）が発生するため、意図しない信号が再生されることを防止するための機能、回路などを備えている。
【０００３】
なお、上記機能、回路などを備えた従来の信号再生装置に関する文献としては、たとえば、下記特許文献１がある。下記特許文献１によれば、従来の信号再生装置は、ＤＳＰからの出力信号値と所定のしきい値とを比較し、出力信号値がしきい値以上である場合は、ＤＳＰが異常動作状態にあると判断する。そして、信号再生装置は、ＤＳＰが異常動作状態であると判断した場合、意図しない信号の出力を回避するための動作を行う。
【０００４】
【特許文献１】特開平８−２１４４００号公報
【発明の開示】
【発明が解決しようとする課題】
【０００５】
しかしながら、上記従来の信号再生装置は、ＤＳＰの異常動作状態を検出した後に信号再生動作を停止することとしている。そのため、異常動作状態を検出後、信号再生動作を停止するための処理を行い、実際に信号再生動作が停止するまでの間に、大音量で再生がなされる、雑音（ノイズ）が再生される、などの現象が発生する場合があり、これらにより、使用者に不快感を与える可能性がある、という問題があった。たとえば、カーオーディオを使用中に、不意に再生音量が大きくなった場合、自動車の運転者が驚いて運転に支障をきたす可能性がある。
【０００６】
この発明は、上述した従来技術による問題点を解消するためになされたものであり、異常な信号処理動作を行った場合（誤動作を検出した場合）であっても、大音量で再生がなされる、雑音（ノイズ）が再生される、などの問題となる現象を回避する信号再生装置を提供することを目的とする。
【課題を解決するための手段】
【０００７】
上述した課題を解決し、目的を達成するため、請求項１の発明に係る信号再生装置は、入力信号に対して所定の信号再生処理を行う信号処理手段を含む信号再生装置であって、たとえば、前記信号処理手段の誤動作を検出し、当該検出結果に基づいて出力信号レベルを調整するための制御を行う制御手段と、前記信号処理手段の出力信号の再生を所定の時間だけ遅延させる再生遅延生成手段と、前記再生遅延生成手段の出力信号のレベルを、前記制御手段からの制御により調整するレベル調整手段と、を備えることを特徴とする。
【０００８】
この請求項１の発明によれば、入力信号が所定の信号再生処理を施された後、当該信号が所定の時間が経過してから出力されることとした。また、上記所定の信号再生処理において誤動作が発生し、異常な信号が生成された場合には、当該異常信号の出力レベルを調整することとした。これにより、誤動作が発生した場合であっても異常信号を出力しないようにすることができる。
【０００９】
また、請求項２の発明に係る信号再生装置は、請求項１の発明において、前記制御手段が、前記入力信号および前記信号処理手段の出力信号の信号レベルを測定し、当該測定結果に基づいて前記信号処理手段が誤動作しているかどうかを判定することを特徴とする。
【００１０】
この請求項２の発明によれば、上記入力信号および前記信号処理手段の出力信号の信号レベルに基づいて上記信号処理手段が誤動作しているかどうかを判定することができる。
【００１１】
また、請求項３の発明に係る信号再生装置は、請求項１または２の発明において、前記制御手段が前記信号処理手段の誤動作を検出した場合、前記レベル調整手段が、前記制御手段からの制御により出力を停止することを特徴とする。
【００１２】
この請求項３の発明によれば、誤動作が発生した場合、誤動作により発生する異常信号を出力しないようにすることができる。
【００１３】
また、請求項４の発明に係る信号再生装置は、請求項１または２の発明において、前記制御手段が前記信号処理手段の誤動作を検出した場合、前記レベル調整手段が、前記制御手段からの制御により出力信号レベルを一定の値だけ下げることを特徴とする。
【００１４】
この請求項４の発明によれば、誤動作が発生した場合、誤動作により発生する異常信号が大音量で出力されることを回避できる。
【００１５】
また、請求項５の発明に係る信号再生装置は、請求項１または２の発明において、前記制御手段が、前記信号処理手段の誤動作を検出した場合、前記第１の信号および第２の信号の信号レベルの比較結果に基づいて、前記レベル調整手段の出力信号レベルを上下させる制御を行うことを特徴とする。
【００１６】
この請求項５の発明によれば、誤動作が発生した場合に、生成された異常信号の状態に基づいて出力信号の信号レベルを調整することとしたので、必要以上に不自然に感じることの無い再生を実現できる。
【００１７】
また、請求項６の発明に係る信号再生装置は、前記制御手段が、前記信号処理手段の誤動作を検出した場合、その旨を表示する制御および／または音声により通知する制御を行い、さらに、正常動作に復帰するように前記信号処理手段を制御することを特徴とする。
【００１８】
この請求項６の発明によれば、誤動作が発生した場合、その旨を通知することとしたので、機器が一時的に誤動作したのか、それとも故障したのか、などを知ることができる。また、誤動作が発生しても自律的に正常動作に復帰するようにしたので、使用者自身が電源を入れ直すなどの操作をなくすことができる。
【発明の効果】
【００１９】
請求項１の発明によれば、信号再生装置が、所定の処理を施した入力信号を所定の時間に渡って一旦保持することとし、入力信号に対する処理が正常に実施されたかどうか（誤動作したかどうか）を確認後、所定の時間が経過してから再生を行うこととしたので、当該信号再生装置は、誤動作が発生した場合でも、雑音（ノイズ）が再生される、不意に大音量で再生がなされる、など、使用者に不快感を与えることを回避することができる、という効果を奏する。
【００２０】
また、請求項２の発明によれば、前記信号処理手段が誤動作しているかどうかを確実に判定することができる、という効果を奏する。
【００２１】
また、請求項３の発明によれば、誤動作により発生する異常信号を出力しないようにすることができる、という効果を奏する。
【００２２】
また、請求項４の発明によれば、誤動作により発生する異常信号の出力レベルを抑えることができる、という効果を奏する。
【００２３】
また、請求項５の発明によれば、誤動作が発生した場合であっても、再生音を必要以上に不自然に感じないようにすることができる、という効果を奏する。
【００２４】
また、請求項６の発明によれば、誤動作が発生した場合であっても、機器が一時的に誤動作したのか、それとも故障したのか、などを知ることができる、という効果を奏する。また、誤動作が発生しても、使用者自身が電源を入れ直すなどの操作をなくすことができる、という効果を奏する。
【発明を実施するための最良の形態】
【００２５】
以下に添付図面を参照して、この発明にかかる信号再生装置の好適な実施例を詳細に説明する。
【実施例】
【００２６】
図１は、本発明にかかる信号再生装置の構成例を示す図である。本発明にかかる信号再生装置は、信号処理部１、再生遅延生成部２、信号レベル調整部３、制御部４、音声発生部５、表示部６、を備える。以下、各部の動作について説明する。
【００２７】
信号処理部１は、入力信号に対して、再生を行うための各種処理を行い、その結果を再生信号として出力する。たとえば、信号処理部１は、再生する信号を選択し、その信号の種類に基づいてゲインの制御（信号レベルの調整）、エフェクト処理（音響効果を施す）、出力レベル調整（再生音量調整）、などを行う。再生遅延生成部２は、上記信号処理部１の出力信号を所定の期間にわたって保持した後に出力することにより、本発明にかかる信号再生装置が、入力信号を受信後、当該信号を再生出力するまでの間に、所定の長さの遅延時間を発生させる。信号レベル調整部３は、後述する制御部４の指示に従って上記再生遅延生成部２から出力される信号のレベルを調整し、その結果を調整後の再生信号として出力する。制御部４は、前記信号処理部１、信号レベル調整部３、音声発生部５および表示部６の制御を行う。音声発生部５は、上記制御部４の指示に従い予め記憶しておいた音声を出力する。そして、表示部６は、前記制御部４が指示した内容を表示する。
【００２８】
ここで、上記信号処理部１の動作を図面にしたがって説明する。図２は、上記信号処理部１の構成例を示す図である。なお、一般的な信号再生装置においては、上記信号処理部に相当する部分として、たとえば、ＤＳＰ（Digital  Signal  Processor）が用いられている。
【００２９】
本発明にかかる信号再生装置の信号処理部１は、図２に示すように、セレクタ１１、ゲイン制御部１２、エフェクト処理部１３、出力レベル調整部１４、バランス調整部１５を備えている。セレクタ１１は、入力信号を選択する（入力信号を切り替える）。また、ゲイン制御部１２は、入力信号のレベル（音量に相当）を信号の種類毎に調整する（入力信号の間のレベル差を解消する）。また、エフェクト処理部１３は、上記ゲイン制御部１２の出力信号に対して音響効果を施す。そして、出力レベル調整部１４およびバランス調整部１５が、それぞれ、信号レベルの調整、左右のチャネルの出力レベルのバランス調整を行い、再生信号として出力する。
【００３０】
つづいて、本発明にかかる信号再生装置の動作、特に、本発明にかかる信号再生装置が誤動作を検出した場合の動作を図面にしたがって説明する。図３は、本発明にかかる信号再生装置が誤動作を検出した場合の動作を示すフローチャートである。
【００３１】
信号再生装置が入力信号を検出すると、制御部４は、当該入力信号が信号処理部１内部のセレクタ１１を通過した時点で（図２に示した箇所において）その信号レベルを測定する（ステップＳ１）。つぎに、制御部４は、前記ステップＳ１で測定した入力信号レベルに基づいて信号処理部１の出力信号レベル（再生信号レベル）を推測する（ステップＳ２）。以下、当該ステップＳ２において推測した信号処理部１の出力信号レベルを「第１の信号レベル」と呼ぶ。つぎに、制御部４は、上述した信号処理部１において処理を施された実際の再生信号（信号処理部１の出力信号）の信号レベル（以下、「第２の信号レベル」と呼ぶ）を測定する（ステップＳ３）。
【００３２】
つぎに、制御部４は、上記第１の信号レベルと第２の信号レベルとを比較する（ステップＳ４）。そして、制御部４は、上記第１の信号レベルと第２の信号レベルが等しいと判断した（第１の信号レベルと第２の信号レベルとの差が規定値以内の）場合（ステップＳ４、Ｙｅｓ）、通常動作再生出力を行う（正常動作：ステップ５）。これに対して、制御部４が、上記第１の信号レベルと第２の信号レベルが等しくないと判断した（第１の信号レベルと第２の信号レベルとの差が規定値を超えた）場合（ステップＳ４、Ｎｏ）、信号処理部１が誤動作したと判断し、信号レベル調整部３に対して再生信号をミュートするように（信号を出力しないように）指示を出す（ステップＳ６）。
【００３３】
なお、上記ステップＳ６において、制御部４は、信号レベル調整部３が出力を完全にミュートするのではなく、ある一定の値だけ信号レベルを下げて再生するように制御することとしてもよい。また、制御部４は、上記誤動作により信号処理部１から出力された再生信号が再生遅延生成部２から出力されるタイミングを認識し、上記ステップＳ４において、上記第１の信号レベルと第２の信号レベルとの差の値に基づいて、当該再生信号のレベルを調整する（信号レベル差相当分だけ利得を下げる、または、上げる）ように信号レベル調整部３に対して指示を出すこととしてもよい。
【００３４】
つぎに、制御部４は、表示部６に対して、誤動作が発生した旨を表示するように指示を出す（ステップＳ７）。そして、制御部４は、信号処理部１に対して、一部または全体を初期化するなど、復帰動作を指示する（ステップＳ８）。なお、制御部４は、上記ステップＳ７の処理に代えて、音声発生部５に対して、誤動作が発生した旨を通知する音声案内を出力する、などの指示を出すこととしてもよい。また、表示部６および音声発生部５に対して誤動作が発生した旨を通知するように指示することとしてもよい。
【００３５】
上述してきたように、本実施例では、信号再生装置が、所定の信号処理を施した入力信号を所定の時間に渡って一旦保持することとし、入力信号に対する処理が正常に実施されたかどうか（誤動作を検出したかどうか）を確認後、所定の時間が経過してから再生することとした。これにより、誤動作が発生した場合でも、雑音（ノイズ）が再生される、不意に大音量で再生がなされるなど、使用者に与える不快感を回避することができる。また、誤動作が発生した場合、使用者に対してその旨を通知するようにしたので、使用者は、機器が一時的に誤動作したのか、それとも故障したのか、などを知ることができる。さらに、誤動作が発生しても自律的に正常動作に復帰するようにしたので、使用者自身が電源を入れ直すなどの操作をなくすことができる。
【産業上の利用可能性】
【００３６】
以上のように、本発明にかかる信号再生装置は、音声信号などを再生するオーディオ機器に有用であり、特に、再生信号の出力レベルを調整する機能を備えたすべての機器に適している。
【図面の簡単な説明】
【００３７】
【図１】本発明にかかる信号再生装置の構成例を示す図である。
【図２】信号処理部の構成例を示す図である。
【図３】本発明にかかる信号再生装置が誤動作を検出した場合の動作を示すフローチャートである。
【符号の説明】
【００３８】
１    信号処理部
２    再生遅延生成部
３    信号レベル調整部
４    制御部
５    音声発生部
６    表示部
１１    セレクタ
１２    ゲイン制御部
１３    エフェクト処理部
１４    出力レベル調整部
１５    バランス調整部
【図１】
2007027853.tif 000003
【図２】
2007027853.tif 000004
【図３】
2007027853.tif 000005